(57)【要約】      （修正有）【課題】マルチメディア情報再生機能付きのコンピュータのカーソルの制御装置を提供する。【解決手段】マルチメディア情報を再生する機能とコンピュータのカーソルを制御する機能を有するコンピュータのカーソルの制御装置であって、接続インターフェースユニットと、接続インターフェースユニットに連結され、マウス入力モードで、コンピュータのカーソルの動作や移動を制御するマウスモジュールと、接続インターフェースユニットに連結され、メディア再生モードで、マルチメディアの情報を読み取って、マルチメディア情報の再生機能を実行するメディア再生モジュールと、マウスモジュールとメディア再生モジュールに連結され、制御信号を入力して、コンピュータのカーソルの動作やマルチメディア情報の再生機能を制御するボタン制御ユニットとを備える。【選択図】図１
0003134674.tif 000002
【実用新案登録請求の範囲】
【請求項１】
マルチメディア情報を再生する機能とコンピュータのカーソルを制御する機能を有するコンピュータのカーソルの制御装置であって、
接続インターフェースユニットと、
該接続インターフェースユニットに連結され、マウス入力モードで、コンピュータのカーソルの動作や移動を制御するマウスモジュールと、
該接続インターフェースユニットに連結され、メディア再生モードで、マルチメディアの情報を読取って、該マルチメディア情報の再生機能を実行するメディア再生モジュールと、
それぞれ、該マウスモジュールと該メディア再生モジュールに連結され、制御信号を入力して、該コンピュータのカーソルの動作や該マルチメディア情報の再生機能を制御するボタン制御ユニットと、が含有され、
該マウス入力モードと該メディア再生モードとの何れかの一つに切り替えられることを特徴とするコンピュータのカーソルの制御装置。
【請求項２】
該マウス入力モードと該メディア再生モードとの切り替えが、該接続インターフェースユニットによって決められることを特徴とする請求項１に記載のコンピュータのカーソルの制御装置。
【請求項３】
該マウス入力モードと該メディア再生モードとの切り替えが、該ボタン制御ユニットによって決められることを特徴とする請求項１に記載のコンピュータのカーソルの制御装置。
【請求項４】
該ボタン制御ユニットは、該制御信号を生成する共通制御回路が含有されることを特徴とする請求項１に記載のコンピュータのカーソルの制御装置。
【請求項５】
マルチメディア情報を再生する機能とコンピュータのカーソルを制御する機能を有するコンピュータのカーソルの制御装置であって、
ハブを有する接続インターフェースユニットと、
該接続インターフェースユニットに連結され、マウス入力モードで、コンピュータのカーソルの動作や移動を制御するマウスモジュールと、
該接続インターフェースユニットに連結され、メディア再生モードで、マルチメディア情報を読取って、該マルチメディア情報の再生機能を実行するメディア再生モジュールと、
それぞれ、該マウスモジュールと該メディア再生モジュールに連結され、制御信号を入力して、該コンピュータのカーソルの動作や該マルチメディア情報の再生機能を制御するボタン制御ユニットと、が含有され、
該ハブを介して、該マウス入力モードと該メディア再生モードを共通操作することを特徴とするコンピュータのカーソルの制御装置。
【請求項６】
該ボタン制御ユニットは、カーソル制御回路とマルチメディア制御回路が含有されることを特徴とする請求項５に記載のコンピュータのカーソルの制御装置。
【考案の詳細な説明】
【技術分野】
【０００１】
本考案は、コンピュータのカーソルの制御装置に関し、特に、マルチメディア情報再生機能付きのコンピュータのカーソルの制御装置に関する。
【背景技術】
【０００２】
科学技術の発展とともに、コンピュータは、生活に不可欠な消費性電子製品になり、また、マウスは、人とコンピュータとの間において、操作インターフェースの主な道具の一つになり、一般の人は、コンピュータを使用する時、マウスが容易に使用できるため、コンピュータへの親しさが向上される。そのため、マウスは、コンピュータに不可欠でありながら、良く利用される装置であり、その機能設計は、日々に進歩していて、有線マウスから無線マウスまで、機械式から光学式まで、そして、赤外線等の製品が次々に登場し、消費者が、科学技術による利便性を享受できる。
【０００３】
従来の有線マウスは、例えば、特許文献１（スピーカー付きのマウス）は、スピーカーが、音声信号線により、該スピーカーとコンピュータのサウンドカードとの間に接続され、サウンドカードが生成した信号が、スピーカーに伝送されて再生される。
【０００４】
また、従来の有線マウスは、例えば、特許文献２（ラジオとマイク及びマウス機能を有するコンピュータ周辺装置）は、ＵＳＢ伝送線を介して、ラジオやマイクの信号が、マウス機能付きのコンピュータ周辺装置により、コンピュータに伝送され、音声に変換されて出力される。
【０００５】
従来の他の無線マウスは、例えば、特許文献３（電話とマウスの２重効果が実現されるシステム）は、無線マウスと無線電話として、遠隔制御装置が使用される。
【０００６】
しかしながら、既存のコンピュータのカーソルの制御装置は、主として、マウス機能を有する他に、様々の付属機能が追加されるが、コンピュータがＯＮされた時しか使用できず、そのため、コンピュータの回りにおいて、使用することが必要であり、独自に使用することができない。
【０００７】
そのため、本考案は、上記の問題を解消するため、コンピュータのカーソルの制御装置として使用でき、また、コンピュータに係わらず、独自に音楽再生器として使用できるマルチメディア情報再生機能付きのコンピュータのカーソルの制御装置を提供する。
【特許文献１】台湾特許Ｎｏ．１７５１５１
【特許文献２】台湾特許Ｎｏ．１７５６４４
【特許文献３】台湾特許Ｎｏ．１１１３２９
【考案の開示】
【考案が解決しようとする課題】
【０００８】
本考案は、コンピュータのカーソルを制御するマウスモジュールと、マルチメディア情報を再生するメディア再生モジュールとを備えることにより、マルチメディア情報を再生する機能とコンピュータのカーソルを制御する機能とを両立するマルチメディア情報再生機能付きのコンピュータのカーソルの制御装置を提供する。
【課題を解決するための手段】
【０００９】
本考案に係わるマルチメディア情報再生機能付きのコンピュータのカーソルの制御装置は、接続インターフェースユニットと、接続インターフェースユニットに連結され、マウス入力モードで、コンピュータのカーソルの動作を制御するマウスモジュールと、接続インターフェースユニットに連結され、メディア再生モードで、マルチメディア情報を読取って、マルチメディア情報の再生機能を実行するメディア再生モジュールと、それぞれ、マウスモジュールとメディア再生モジュールに連結され、制御信号を入力して、コンピュータのカーソルの動作やマルチメディア情報の再生機能を制御するボタン制御ユニットと、が含まれる。
【００１０】
本考案に係わるマルチメディア情報再生機能付きのコンピュータのカーソルの制御装置の第１の実施の形態において、コンピュータのカーソルの制御装置は、同時に、マウス入力モードとメディア再生モードとが成り立つために、それぞれ、上記の２種類のモードに対応する機能ボタンが設けられる。マウス入力モードとメディア再生モードで、利用できるために、コンピュータ装置に連結するためのハブ（例えば、ＵＳＢハブ）が設置され、メディア再生モジュールとマウスモジュールは、ハブのタイミング特性を利用して、信号をコンピュータ装置に伝送する。
【００１１】
本考案に係わるマルチメディア情報再生機能付きのコンピュータのカーソルの制御装置の第２の実施の形態において、コンピュータのカーソルの制御装置は、マウス入力モードやメディア再生モードの何れか一つに適用でき、また、それぞれ、２種類の操作モードに共通する機能ボタンを提供する。マウス入力モードとメディア再生モードとを切り替えることができるため、マウス入力モードとメディア再生モードとを切り替える変換機能を有するスイッチが設置され、それにより、メディア再生モジュールとマウスモジュールとを切り替えることができる。
【００１２】
本考案に係わるマルチメディア情報再生機能付きのコンピュータのカーソルの制御装置の第３の実施の形態において、第２の実施の形態と異なるのは、オーディオ伝送インターフェースが、音声再生装置に接続されているか否かにより、コンピュータのカーソルの制御装置が、マウス入力モードかメディア再生モードであることを決められ、或いは、カード読取りインターフェースに、メモリカードが挿入されるか否かにより、コンピュータのカーソルの制御装置が、マウス入力モードやメディア再生モードであるかを決められる。
【考案の効果】
【００１３】
本考案によれば、本考案に係わるコンピュータのカーソルの制御装置は、コンピュータのカーソルを制御するだけでなく、マルチメディア情報を再生することができる。
【考案を実施するための最良の形態】
【００１４】
図１は、本考案に係わるマルチメディア情報再生機能付きのコンピュータのカーソルの制御装置のブロック概念図である。コンピュータのカーソルの制御装置１は、コンピュータのカーソルを制御する機能を有する他に、マルチメディア情報を再生する機能を有する。該コンピュータのカーソルの制御装置１は、メディア再生モジュール１１と電源供給ユニット１２、ボタン制御ユニット１３、接続インターフェースユニット１４及びマウスモジュール１５とが含まれる。
【００１５】
メディア再生モジュール１１は、音楽再生モジュール（例えば、ＭＰ３再生モジュール）であり、メディア再生モード指令を受信すると、駆動されてメディア再生モードに入り、マルチメディア信号を読取ってマルチメディア信号の再生機能を行う。メディア再生モジュール１１は、記憶装置１１１とメディア再生制御器１１２及びトランスコーダ１１３が含まれる。
【００１６】
メディア再生制御器１１２は、マルチメディア信号の入力を検知し、例えば、マルチメディア信号が、予めに記憶装置１１１に保存されるか、予めにメモリカード（図に未表示）に保存された後、接続インターフェースユニット１４を介して読取るか、或いは、接続インターフェースユニット１４を介して、コンピュータ装置（図に未表示）により提供されるか、の何れかの方法によっても、メディア再生制御器１１２によって検知されることにより、トランスコーダ１１３で、復号や信号変換が行われる。ユーザーは、接続インターフェースユニット１４に接続されたイヤホンやスピーカー等の音声再生装置（図に未表示）により、トランスコーダ１１３から出力したマルチメディア信号の内容を聞くことができる。
【００１７】
メディア再生制御器１１２により、マルチメディア信号が入力されたかを検知でき、例えば、ユーザーが、マイク（図に未表示）を介して該マルチメディア信号を録音する場合、トランスコーダ１１３によって該マルチメディア信号が信号変換や符号化されて、符号化された後のデータが、更に、メディア再生制御器１１２によってその後の処理を受け、例えば、記憶装置１１１に格納されるか、接続インターフェースユニット１４を介して、データが、コンピュータ装置に伝送されるか、メモリカードに格納される。
【００１８】
電源供給ユニット１２は、外部電源（図に未表示）を変換して、電力を、コンピュータのカーソルの制御装置１の内部の各部品に供給し、例えば、メディア再生モジュール１１とマウスモジュール１５等の回路に必要とする電力を供給する。該外部電源は、コンピュータ装置から接続インターフェースユニット１４を介して提供してもよいし、充電電池を実装することにより、電力を供給しても良い。
【００１９】
ユーザーが、ボタン制御ユニット１３により、例えば、メディア再生モード指令やマウス入力モード指令等の制御信号を入力し、例えば、左キーや右キーをクリックする等のコンピュータのカーソルの動作を制御し、そして、例えば、音楽の再生や録音、データの伝送等のマルチメディア情報の再生動作を制御する。
【００２０】
本考案の一つの実施の形態において、該ボタン制御ユニット１３は、メディア再生モードとマウス入力モードにおいて、それぞれ、ユーザーに対して、２種類のモードに対応する機能ボタンを提供する。本考案の他の実施の形態において、該ボタン制御ユニット１３は、メディア再生モードやマウス入力モードにおいて、ユーザーに対して、該２種類の機能に共通する機能ボタンを提供する。
【００２１】
マウスモジュール１５は、方向検知ユニット１５１と、マウス制御器１５２とが含まれ、主として、マウス入力モードで、マウス信号を伝送することにより、コンピュータ装置のマウス入力機能を実現する。マウス入力機能は、主として、一般入力と無線入力の２種類がある。
【００２２】
一般入力において、コンピュータのカーソルの制御装置１は、接続インターフェースユニット１４を利用して、有線伝送方式により、マウス信号を、コンピュータ装置へ伝送して、コンピュータのカーソルの動作を制御する。無線入力において、コンピュータのカーソルの制御装置１は、無線伝送手段（図に未表示）を利用して、無線伝送方式により、マウス信号を、コンピュータ装置へ伝送して、コンピュータのカーソルの動作を制御する。
【００２３】
方向検知ユニット１５１は、ユーザーが、該コンピュータのカーソルの制御装置１を移動する時、コンピュータのカーソルの制御装置１の移動方向を検知して、コンピュータのカーソルの移動方向を制御する。そのため、方向検知ユニット１５１は、ローラー検知器であっても良いし、光学式検知器であっても良い。
【００２４】
マウス制御器１５２は、ボタン制御ユニット１３や方向検知ユニット１５１により提供された信号を処理して、マウス信号を生成し、また、接続インターフェースユニット１４を介して、コンピュータ装置へ伝送して、コンピュータのカーソルの動作を制御する。
【００２５】
図２と図３は、本考案に係わるマルチメディア情報再生機能付きのコンピュータのカーソルの制御装置が、メディア再生モードやマウス入力モードである場合におけるコンピュータのカーソルの制御装置１内の各部品の作動状態であり、図２は、本考案に係わるマルチメディア情報再生機能付きのコンピュータのカーソルの制御装置が、マウス入力モードであるときの状態概念図であり、図３は、本考案に係わるマルチメディア情報再生機能付きのコンピュータのカーソルの制御装置が、メディア再生モードであるときの状態概念図である。
【００２６】
該コンピュータのカーソルの制御装置１は、マウス入力モードであるとき、電源供給ユニット１２とボタン制御ユニット１３、接続インターフェースユニット１４及びマウスモジュール１５が、駆動され、メディア再生モジュール１１であるとき、駆動されない。
【００２７】
該コンピュータのカーソルの制御装置１は、メディア再生モードであるとき、電源供給ユニット１２とボタン制御ユニット１３、接続インターフェースユニット１４及びメディア再生モジュール１１が、駆動され、マウスモジュール１５であるとき、駆動されない。
【００２８】
図４は、本考案の第１の実施の形態であり、接続インターフェースユニット２４によりメディア再生モードとマウス入力モードを切り替えることを説明し、図４は、本考案の第１の実施の形態のマルチメディア情報再生機能付きのコンピュータのカーソルの制御装置のブロック概念図である。
【００２９】
該第１の実施の形態において、仮に、コンピュータのカーソルの制御装置２は、同時に、マウス入力モードとメディア再生モードとが、成り立つ場合である。コンピュータのカーソルの制御装置２は、それぞれ、ユーザーに対して、２種類の操作モードに対応する機能ボタンを提供し、例えば、マルチメディア制御回路２３１とカーソル制御回路２３２が提供される。マルチメディア制御回路２３１により、メディア再生モジュール１１を制御して、再生や録音及び一時停止等の動作を実行し、カーソル制御回路２３２により、コンピュータのカーソルの動作を制御する。
【００３０】
しかしながら、同時に、マウス入力モードとメディア再生モードとが成り立つために、接続インターフェースユニット２４に、コンピュータ装置（図に未表示）に連結するためのハブ（例えば、ＵＳＢハブ）が設置され、メディア再生モジュール１１とマウスモジュール１５とが、ハブのタイミング特性を利用して、信号を、コンピュータ装置へ伝送する。
【００３１】
図５は、本考案の第２の実施の形態であり、ボタン制御ユニット３３によりメディア再生モードとマウス入力モードを切り替えることを説明し、図５は、本考案の第２の実施の形態のマルチメディア情報再生機能付きのコンピュータのカーソルの制御装置のブロック概念図である。
【００３２】
該第２の実施の形態において、仮に、コンピュータのカーソルの制御装置３は、マウス入力モードかメディア再生モードの一つだけが成り立つ場合である。コンピュータのカーソルの制御装置３のボタン制御ユニット３３は、ユーザーに対して、２種類の操作モードに共通する機能ボタンを提供し、例えば、共通制御回路３３１である。また、共通制御回路３３１により、メディア再生モードにおいて、メディア再生モジュール１１を制御して再生や録音及び一時停止等の動作を実行し、また、マウス入力モードにおいて、コンピュータのカーソルの動作を制御する。
【００３３】
しかしながら、マウス入力モードとメディア再生モードとを交互に切り替えるために、ボタン制御ユニット３３に、マウス入力モードとメディア再生モードとを切り替える変換機能スイッチ３３２が設置され、メディア再生モジュール１１かマウスモジュール１５においても、変換機能スイッチ３３２による切り替えにより、交互に駆動される。
【００３４】
図６は、本考案の第３の実施の形態であり、接続インターフェースユニット４４によりメディア再生モードとマウス入力モードを切り替えることを説明し、図６は、本考案の第３の実施の形態のマルチメディア情報再生機能付きのコンピュータのカーソルの制御装置のブロック概念図である。応用装置インターフェース４４１により、コンピュータ装置（図に未表示）が連結され、データを伝送する。
【００３５】
該第３の実施の形態において、仮に、コンピュータのカーソルの制御装置４は、マウス入力モードかメディア再生モードの一つだけが成り立つ場合である。コンピュータのカーソルの制御装置４のボタン制御ユニット４３は、ユーザーに対して、２種類の操作モードに共通する機能ボタンを提供し、例えば、共通制御回路（図に未表示）である。また、共通制御回路により、メディア再生モードにおいて、メディア再生モジュール１１を制御して再生や録音及び一時停止等の動作を実行し、また、マウス入力モードにおいて、コンピュータのカーソルの動作を制御する。
【００３６】
しかしながら、マウス入力モードとメディア再生モードとを交互に切り替えるために、接続インターフェースユニット４４に、マウス入力モードとメディア再生モードを切り替えるためのオーディオ伝送インターフェース４４２とカード読取りインターフェース４４３が設置される。
【００３７】
メディア再生制御器１１２により、ユーザーが、音声再生装置（図に未表示）（例えば、スピーカーやイヤホン）にオーディオ伝送インターフェース４４２が挿入されることを検知すると、このとき、コンピュータのカーソルの制御装置４が、メディア再生モードにセットされる。即ち、メディア再生モジュール１１は、ユーザーが、ボタン制御ユニット４３を介した設定に基づいて、マルチメディア情報を再生する動作を実行し、例えば、音楽の再生や録音或いはデータの伝送等である。また、マウスモジュール１５が、一時停止になる。
【００３８】
メディア再生制御器１１２により、ユーザーが、音声再生装置にオーディオ伝送インターフェース４４２が挿入されたことを検知していないとき、このとき、コンピュータのカーソルの制御装置４が、マウス入力モードにセットされる。即ち、マウスモジュール１５は、ユーザーが、ボタン制御ユニット４３と方向検知ユニット１５１よる操作に基づいて、コンピュータのカーソルの動作を制御し、例えば、左キーをクリックすることにより、選択か移動等を実行する。また、メディア再生モジュール１１が、一時停止になる。
【００３９】
一方、メディア再生制御器１１２は、ユーザーが、メモリカード（図に未表示）をカード読取りインターフェース４４３に挿入したことを検知すると、このとき、コンピュータのカーソルの制御装置４は、メディア再生モードにセットされる。即ち、メディア再生モジュール１１は、ユーザーが、ボタン制御ユニット４３による設定に基づいて、マルチメディア情報の再生動作を実行し、例えば、音楽の再生や録音或いはデータの伝送等を実行する。また、マウスモジュール１５が、一時停止になる。
【００４０】
メディア再生制御器１１２は、ユーザーが、メモリカードをカード読取りインターフェース４４３に挿入したことを検知していないとき、このとき、コンピュータのカーソルの制御装置４が、マウス入力モードにセットされる。即ち、マウスモジュール１５は、ユーザーが、ボタン制御ユニット４３と方向検知ユニット１５１による操作に基づいて、コンピュータのカーソルの動作を制御し、例えば、左キーをクリックすることにより、選択か移動等を実行する。また、メディア再生モジュール１１が、一時停止になる。
【００４１】
図７Ａ〜図７Ｃは、本考案に係わるマルチメディア情報再生機能付きのコンピュータのカーソルの制御装置の回路概念図である。本考案のコンピュータのカーソルの制御装置は、変換機能スイッチによる切り替えにより、マウス入力モードかメディア再生モードに決められ、或いは、オーディオ伝送インターフェースが、音声再生装置に挿入されているかにより、マウス入力モードかメディア再生モードに決められ、または、カード読取りインターフェースに、メモリカードが挿入されているかにより、マウス入力モードかメディア再生モードに決められる。或いは、ハブにより、同時に、マウス入力モードとメディア再生モードとが操作される。
【００４２】
本考案によれば、本考案に係わるコンピュータのカーソルの制御装置は、コンピュータのカーソルを制御するだけでなく、マルチメディア情報を再生することができる。
【００４３】
本考案によれば、本考案のコンピュータのカーソルの制御装置は、同時に、マウス入力モードとメディア再生モードが成り立ち、また、操作できる。
【００４４】
本考案によれば、本考案のコンピュータのカーソルの制御装置は、マウス入力モードかメディア再生モードの何れかの一つだけが成り立つ。
【００４５】
本考案によれば、本考案のコンピュータのカーソルの制御装置は、変換機能スイッチにより、マウス入力モードとメディア再生モードとが切り替えられる。
【００４６】
本考案によれば、本考案のコンピュータのカーソルの制御装置は、オーディオ伝送インターフェースに、音声再生装置が接続されることにより、マウス入力モードかメディア再生モードが決められる。
【００４７】
本考案によれば、本考案のコンピュータのカーソルの制御装置は、カード読取りインターフェースに、メモリカードが挿入されることにより、マウス入力モードかメディア再生モードが決められる。
【００４８】
本考案によれば、本考案のコンピュータのカーソルの制御装置は、ハブにより、マウス入力モードとメディア再生モードを共通に操作できる。
【００４９】
本考案によれば、本考案のコンピュータのカーソルの制御装置は、マウス入力モードとメディア再生モードに共通する機能ボタンを提供する。
【００５０】
本考案によれば、本考案のコンピュータのカーソルの制御装置は、それぞれ、マウス入力モードやメディア再生モードに対応する機能ボタンを提供する。
【００５１】
以上は、ただ、本考案のより良い実施の形態であり、本考案は、それによって限定されることは無く、本考案に係わる実用新案登録請求の範囲や明細書の内容に基づいて行った等価の変更や修正は、その全てが、本考案の実用新案登録請求の範囲内に含まれる。
【図面の簡単な説明】
【００５２】
【図１】本考案に係わるマルチメディア情報再生機能付きのコンピュータのカーソルの制御装置のブロック概念図
【図２】本考案に係わるマルチメディア情報再生機能付きのコンピュータのカーソルの制御装置が、マウス入力モードにある時の状態概念図
【図３】本考案に係わるマルチメディア情報再生機能付きのコンピュータのカーソルの制御装置がメディア再生モードにある時の状態概念図
【図４】本考案の第１の実施の形態のマルチメディア情報再生機能付きのコンピュータのカーソルの制御装置のブロック概念図
【図５】本考案の第２の実施の形態のマルチメディア情報再生機能付きのコンピュータのカーソルの制御装置のブロック概念図
【図６】本考案の第３の実施の形態のマルチメディア情報再生機能付きのコンピュータのカーソルの制御装置のブロック概念図
【図７Ａ】本考案に係わるマルチメディア情報再生機能付きのコンピュータのカーソルの制御装置の回路概念図。
【図７Ｂ】本考案に係わるマルチメディア情報再生機能付きのコンピュータのカーソルの制御装置の回路概念図。
【図７Ｃ】本考案に係わるマルチメディア情報再生機能付きのコンピュータのカーソルの制御装置の回路概念図。
【符号の説明】
【００５３】
１  コンピュータのカーソルの制御装置
１１  メディア再生モジュール
１１１  記憶装置
１１２  メディア再生制御器
１１３  トランスコーダ
１２  電源供給ユニット
１３  ボタン制御ユニット
１４  接続インターフェースユニット
１５  マウスモジュール
１５１  方向検知ユニット
１５２  マウス制御器
２  コンピュータのカーソルの制御装置
２３  ボタン制御ユニット
２３１  マルチメディア制御回路
２３２  カーソル制御回路
２４  接続インターフェースユニット
３  コンピュータのカーソルの制御装置
３３  ボタン制御ユニット
３３１  共通制御回路
３３２  変換機能スイッチ
４  コンピュータのカーソルの制御装置
４３  ボタン制御ユニット
４４  接続インターフェースユニット
４４１  応用装置インターフェース
４４２  オーディオ伝送インターフェース
４４３  カード読取りインターフェース
【図１】
0003134674.tif 000003
【図２】
0003134674.tif 000004
【図３】
0003134674.tif 000005
【図４】
0003134674.tif 000006
【図５】
0003134674.tif 000007
【図６】
0003134674.tif 000008
【図７Ａ】
0003134674.tif 000009
【図７Ｂ】
0003134674.tif 000010
【図７Ｃ】
0003134674.tif 000011